(57)【要約】  本発明は、複数のタッチセンサを用いたＵＩ提供方法、およびこれを利用する携帯端末機に関する。本発明の実施形態に係る第１タッチセンサ部および第２タッチセンサ部を備える携帯端末機のＵＩ提供方法は、第１タッチセンサ部および第２タッチセンサ部でのユーザによるタッチを感知するタッチ感知ステップと；第１タッチセンサ部および第２タッチセンサ部に入力されるタッチ位置の移動動作のパターンを認識する移動動作パターン認識ステップと；認識されたタッチ位置の移動動作のパターンに対応するＵＩを提供するＵＩ提供ステップを含むことを特徴とする。本発明を介して（によって）ユーザは、多様なタッチ動作を介して（によって）携帯端末機に操作命令を入力することができ、携帯端末機を用いるということにおいて感性的側面が向上する効果が発生する。
2013507681.tif 000002
【特許請求の範囲】
【請求項１】
第１タッチセンサ部と、第１タッチセンサ部が形成される面と反対面に形成される第２タッチセンサ部とを備える携帯端末機のＵＩ提供方法において、
前記第１タッチセンサ部および前記第２タッチセンサ部へのユーザによるタッチを感知するタッチ感知ステップと、
前記第１タッチセンサ部および前記第２タッチセンサ部に入力されるタッチ位置の移動動作のパターンを認識する移動動作パターン認識ステップと、
前記認識されたタッチ位置の移動動作のパターンに対応するＵＩを提供するＵＩ提供ステップと、を含むことを特徴とする携帯端末機のＵＩ提供方法。
【請求項２】
前記移動動作パターン認識ステップは、
前記第１タッチセンサ部と前記第２タッチセンサ部に互いに反対方向の移動動作が入力されるパターン、前記第１タッチセンサ部と前記第２タッチセンサ部に互いに同一方向の移動動作が入力されるパターン、または、前記第１タッチセンサ部と前記第２タッチセンサ部のうちいずれか１つ以上の移動動作が入力されるパターンを認識することを特徴とする請求項１に記載の携帯端末機のＵＩ提供方法。
【請求項３】
前記移動動作パターン認識ステップは、
前記第１タッチセンサ部と前記第２タッチセンサ部に上下方向の移動動作が入力されるパターン、前記第１タッチセンサ部と前記第２タッチセンサ部に左右方向の移動動作が入力されるパターン、または、前記第１タッチセンサ部と前記第２タッチセンサ部に回転方向の移動動作が入力されるパターンを認識することを特徴とする請求項１に記載の携帯端末機のＵＩ提供方法。
【請求項４】
前記タッチ感知ステップの前に、
前記携帯端末機に含まれる複数のアプリケーションまたは複数のコンテンツを実行するステップと、
前記実行された複数のアプリケーションまたは複数のコンテンツのうちいずれか１つのアプリケーションまたはコンテンツの実行画面を全画面に表示するステップと、をさらに含むことを特徴とする請求項２に記載の携帯端末機のＵＩ提供方法。
【請求項５】
前記ＵＩ提供ステップは、
前記実行された複数のアプリケーションまたは複数のコンテンツの実行画面を重畳した形態で前記移動動作の方向または距離により、前記実行画面間の間隔を設定して表示することを特徴とする請求項４に記載の携帯端末機のＵＩ提供方法。
【請求項６】
前記ＵＩ提供ステップは、
前記実行された複数のアプリケーションまたは複数のコンテンツの実行画面を重畳した形態で前記移動動作の方向および距離により、前記実行画面間の間隔を変更して表示するステップと、
前記移動動作の距離が、設定された臨界距離以上に該当するか否かを判断するステップと、
前記移動動作の距離が前記臨界距離以上に該当する場合、前記実行画面間の間隔を固定させて表示するステップと、を含むことを特徴とする請求項４に記載の携帯端末機のＵＩ提供方法。
【請求項７】
前記タッチ感知ステップの前に、
前記携帯端末機の画面のロック機能を実行するステップをさらに含み、
前記ＵＩ提供ステップは、
前記画面のロック機能を解除することを特徴とする請求項２に記載の携帯端末機のＵＩ提供方法。
【請求項８】
前記タッチ感知ステップの前に、
前記携帯端末機に格納された音楽を再生するステップをさらに含み、
前記ＵＩ提供ステップは、
前記再生される音楽のボリュームを調節することを特徴とする請求項２に記載の携帯端末機のＵＩ提供方法。
【請求項９】
前記タッチ感知ステップの前に、
前記携帯端末機に格納されたイメージを表示するイメージ表示ステップをさらに含むことを特徴とする請求項２に記載の携帯端末機のＵＩ提供方法。
【請求項１０】
前記ＵＩ提供ステップは、
前記イメージをズームインまたはズームアウトして表示することを特徴とする請求項９に記載の携帯端末機のＵＩ提供方法。
【請求項１１】
前記ＵＩ提供ステップは、
前記移動動作の方向に沿って前記イメージを回転させて表示することを特徴とする請求項９に記載の携帯端末機のＵＩ提供方法。
【請求項１２】
前記ＵＩ提供ステップは、
前記第１タッチセンサ部のみに移動動作が入力されるパターンを認識した場合には、前記イメージを移動させて表示し、
前記第２タッチセンサ部のみに移動動作が入力されるパターンを認識した場合には、前記イメージをズームインまたはズームアウトして表示することを特徴とする請求項９に記載の携帯端末機のＵＩ提供方法。
【請求項１３】
前記イメージ表示ステップで表示されるイメージは、３Ｄイメージに該当し、
前記ＵＩ提供ステップは、
前記第１タッチセンサ部のみに移動動作が入力されるパターンを認識した場合には、前記３Ｄイメージを移動させて表示し、
前記第２タッチセンサ部のみに移動動作が入力されるパターンを認識した場合には、前記３Ｄイメージのビューポイントを移動させて表示することを特徴とする請求項９に記載の携帯端末機のＵＩ提供方法。
【請求項１４】
ＵＩを提供する携帯端末機において、
第１タッチセンサ部と、第１タッチセンサ部が形成される面と反対面に形成される第２タッチセンサ部とから構成されるタッチセンサ部と、
ＵＩを提供するＵＩ部と、
前記タッチセンサ部を制御してユーザによるタッチを感知し、入力されるタッチ位置の移動動作のパターンを認識し、前記ＵＩ部を制御して認識されたタッチ位置の移動動作のパターンに対応するＵＩを提供する制御部と、を含むことを特徴とする携帯端末機。
【請求項１５】
前記制御部は、
前記タッチセンサ部を制御して、前記第１タッチセンサ部と前記第２タッチセンサ部に互いに反対方向の移動動作が入力されるパターン、前記第１タッチセンサ部と前記第２タッチセンサ部に互いに同一方向の移動動作が入力されるパターン、または、前記第１タッチセンサ部と前記第２タッチセンサ部のうちいずれか１つのみに移動動作が入力されるパターンを認識することを特徴とする請求項１４に記載の携帯端末機。
【発明の詳細な説明】
【技術分野】
【０００１】
本発明は、複数のタッチセンサを用いたＵＩ提供方法、およびこれを利用する携帯端末機に関し、特に、携帯端末機の前面と後面に形成されたタッチセンサを用いたＵＩ提供方法、およびこのような方法を利用する携帯端末機に関する。
【背景技術】
【０００２】
最近、携帯端末機の普及率の急速な増加により、携帯端末機はもはや現代人の生活必需品として位置づけられている。最近、タッチスクリーン基盤の携帯端末機が一般化していながらタッチセンサを用いたＵＩ提供方法の重要性が増大している。
【０００３】
現在発売されているタッチスクリーン基盤の携帯端末機は、基本的に１つのタッチセンサを備えている。ユーザは、タッチ（ｔｏｕｃｈ）、ドラッグ（ｄｒａｇ）等の動作をタッチセンサに入力することで、携帯端末機に命令を入力することになる。しかし、このように１つのタッチセンサからなる携帯端末機において、ユーザがタッチセンサに入力できる動作は、非常に制限的である。タッチスクリーン基盤の携帯端末機が一般的になっている状況で、タッチセンサを用いたＵＩ提供技術の重要性は増大しており、多様なタッチ入力によるＵＩ提供方法が要求されている。
【発明の概要】
【発明が解決しようとする課題】
【０００４】
本発明の目的は、複数のタッチセンサを備える携帯端末機において、多様なタッチ動作の入力によるＵＩ提供方法を提供することにある。
【０００５】
本発明の他の目的は、前記方法を利用する携帯端末機を提供することにある。
【課題を解決するための手段】
【０００６】
本発明の態様に係る第１タッチセンサ部および第２タッチセンサ部を備える携帯端末機のＵＩ提供方法は、第１タッチセンサ部および第２タッチセンサ部へのユーザによるタッチを感知するタッチ感知ステップと、第１タッチセンサ部および第２タッチセンサ部に入力されるタッチ位置の移動動作のパターンを認識する移動動作パターン認識ステップと、認識されたタッチ位置の移動動作のパターンに対応するＵＩ（Ｕｓｅｒ  Ｉｎｔｅｒｆａｃｅ）を提供するＵＩ提供ステップと、を含むことを特徴とする。
【０００７】
本発明の態様に係るＵＩを提供する携帯端末機は、第１タッチセンサ部と第１タッチセンサ部が形成される面と反対面に形成される第２タッチセンサ部とから構成されるタッチセンサ部と、ＵＩを提供するＵＩ部と、タッチセンサ部を制御してユーザによるタッチを感知し、入力されるタッチ位置の移動動作のパターンを認識し、ＵＩ部を制御して認識されたタッチ位置の移動動作のパターンに対応するＵＩを提供する制御部と、を含むことを特徴とする。
【発明の効果】
【０００８】
本発明により、ユーザは、多様なタッチ動作によって携帯端末機に操作命令を入力し、それぞれの入力によって互いに異なるＵＩを提供され、携帯端末機を用いるに当たり感性的な側面が向上する。
【図面の簡単な説明】
【０００９】
【図１】本発明の実施形態に係る、２つのタッチセンサを備える携帯端末機１００を示す図である。
【図２】本発明の実施形態に係る、２つのタッチセンサを備える携帯端末機１００の構成図を示す。
【図３】本発明の複数のタッチセンサを用いたＵＩ提供方法の一般的な実施形態を示すフローチャートである。
【図４】本発明の複数のタッチセンサを用いたＵＩ提供方法の具体的な実施形態のうち第１実施形態に該当するフローチャートである。
【図５】本発明の第１実施形態に係る携帯端末機１００の表示画面の例示図である。
【図６】本発明の複数のタッチセンサを用いたＵＩ提供方法の具体的な実施形態のうち第２実施形態に該当するフローチャートである。
【図７】本発明の第２実施形態に係る携帯端末機１００の表示画面の例示図である。
【図８】本発明の第２実施形態に係る携帯端末機１００の表示画面の他の例示図である。
【図９】本発明の複数のタッチセンサを用いたＵＩ提供方法の具体的な実施形態のうち第３実施形態に該当するフローチャートである。
【図１０】本発明の第３実施形態に係る携帯端末機１００の表示画面の例示図である。
【図１１】本発明の複数のタッチセンサを用いたＵＩ提供方法の具体的な実施形態のうち第４実施形態に該当するフローチャートである。
【図１２】本発明の第４実施形態に係る携帯端末機１００の表示画面の例示図である。
【図１３】本発明の第４実施形態に係る携帯端末機１００の表示画面の他の例示図である。
【図１４】本発明の第４実施形態に係る携帯端末機１００の表示画面の他の例示図である。
【図１５】本発明の第４実施形態に係る携帯端末機１００の表示画面の他の例示図である。
【発明を実施するための形態】
【００１０】
以下、添付する図面を参照しながら本発明の好ましい実施形態を詳細に説明する。このとき、添付された図面で同一の構成要素は、可能な限り同一の符号で示していることに注意しなければならない。また、公知の機能および構成に対する説明が本発明の要旨を不要に曖昧にすると判断された場合、その詳細な説明は省略する。
【００１１】
本発明は、携帯端末機を例に挙げて説明するが、これに限定されるものではなく、タッチスクリーンが備えられた全ての装置に適用することができる。また、本発明の実施形態に係る携帯端末機は、タッチスクリーンが備えられた端末機であって、好ましくは、移動通信端末機、携帯用マルチメディア再生装置（Ｐｏｒｔａｂｌｅ  Ｍｕｌｔｉｍｅｄｉａ  Ｐｌａｙｅｒ；ＰＭＰ）、個人情報端末機（Ｐｅｒｓｏｎａｌ  Ｄｉｇｉｔａｌ  Ａｓｓｉｓｔａｎｔ；ＰＤＡ）、スマートフォン（Ｓｍａｒｔ  Ｐｈｏｎｅ）、ＭＰ３プレーヤーなどのような全ての情報通信機器およびマルチメディア機器と、それに対する応用にも適用することができる。
【００１２】
図１は、本発明の実施形態に係る２つのタッチセンサを備える携帯端末機１００を示す図である。本発明では、タッチスクリーンを備える携帯端末機のうちバー（ｂａｒ）タイプの携帯端末機を中心に説明する。しかし、これに限定されるものではなく、フォルダ（ｆｏｌｄｅｒ）タイプ、スライド（ｓｌｉｄｅ）タイプの携帯端末機にも本発明を適用することができる。また、本発明でタッチスクリーンが位置する携帯端末機の面を「前面」といい、タッチスクリーンが位置する面の反対面を「後面」という。
【００１３】
図１の［ａ］は、携帯端末機１００の前面を示す。前面には、タッチスクリーン部１２０と所定のキー入力部１５０が形成されている。図１の［ｂ］は、携帯端末機１００の後面を示し、後面には、第２タッチセンサ部１３０が形成されている。タッチスクリーン部１２０は、第１タッチセンサ部を含み、第１タッチセンサ部と第２タッチセンサ部１３０は、それぞれ携帯端末機の前面と後面に形成される。携帯端末機１００の構成要素に対しては、図２に具体的に示されている。
【００１４】
図２は、本発明の実施形態に係る２つのタッチセンサを備える携帯端末機１００の構成図を示す。本発明の携帯端末機１００は、無線通信部１１０、タッチスクリーン部１２０、第２タッチセンサ部１３０、オーディオ処理部１４０、キー入力部１５０、格納部１６０、および制御部１７０を含む。
【００１５】
無線通信部１１０は、携帯端末機の無線通信のための該当データの送受信機能を行う。無線通信部１１０は、送信される信号の周波数を上昇変換および増幅するＲＦ送信機と、受信される信号を低雑音増幅して周波数を下降変換するＲＦ受信機とから構成される。また、無線通信部１１０は、無線チャネルを介してデータを受信して制御部１７０に出力し、制御部１７０から出力されたデータを無線チャネルを介して送信する。
【００１６】
タッチスクリーン部１２０は、第１タッチセンサ部１２１および表示部１２２を含む。第１タッチセンサ部１２１は、ユーザのタッチ入力を感知する。第１タッチセンサ部１２１は、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）等のタッチ感知センサで構成されてもよく、圧力センサ（ｐｒｅｓｓｕｒｅ  ｓｅｎｓｏｒ）で構成されてもよいが、これに限定されず、物体の接触または圧力を感知することができる全ての種類のセンサが本発明の第１タッチセンサ部１２１に該当する。第１タッチセンサ部１２１は、ユーザのタッチ入力を感知し、感知信号を発生させて制御部１７０に送信する。
【００１７】
表示部１２２は、液晶表示装置（ＬＣＤ、Ｌｉｑｕｉｄ  Ｃｒｙｓｔａｌ  Ｄｉｓｐｌａｙ）で形成され、携帯端末機のメニュー、入力されたデータ、機能設定情報およびその他の多様な情報をユーザに視覚的に提供する。例えば、表示部１２２は、携帯端末機の起動画面、待機画面、表示画面、通話画面、その他のアプリケーション実行画面を出力する機能を行う。
【００１８】
第２タッチセンサ部１３０は、第１タッチセンサ部１２１と同一方式のタッチセンサで構成されてもよく、他の方式のタッチセンサで構成されてもよい。本発明の実施形態に係る第２タッチセンサ部１３０は、図１の［ｂ］に示すように、携帯端末機１００の後面に形成される。第２タッチセンサ部１３０は、ユーザのタッチ入力を感知し、感知信号を発生させて制御部１７０に送信する。本発明の実施形態に係る第２タッチセンサ部１３０は、「四角形」、「円形」、「十字形」などのさまざまな形状に構成してもよい。第２タッチセンサ部１３０が「十字形」の形状に構成される場合、第２タッチセンサ部１３０は、上下方向のタッチ位置の移動動作と左右方向のタッチ位置の移動動作とを感知することができる。
【００１９】
オーディオ処理部１４０は、コーデック（ＣＯＤＥＣ）から構成され、コーデックは、パケットデータなどを処理するデータコーデックと音声などのオーディオ信号を処理するオーディオコーデックとから構成してもよい。オーディオ処理部１４０は、デジタルオーディオ信号をオーディオコーデックを介してアナログオーディオ信号に変換し、スピーカを介して再生し、マイクロから入力されるアナログオーディオ信号をオーディオコーデックを介してデジタルオーディオ信号に変換する。本発明の実施形態に係る表示部１２２、オーディオ処理部１４０は、ＵＩ（Ｕｓｅｒ  Ｉｎｔｅｒｆａｃｅ）部を構成してもよい。
【００２０】
キー入力部１５０は、携帯端末機を制御するためのユーザのキー操作信号の入力を受けて制御部１７０に伝達する。キー入力部１５０は、数字キー、方向キーを有するキーパッドから構成されてもよく、携帯端末機の一側面に所定のファンクションキーで形成される。本発明の実施形態によって第１タッチセンサ部１２１および第２タッチセンサ部１３０のみで全ての操作が可能な携帯端末機の場合には、キー入力部１５０が省略されてもよい。
【００２１】
格納部１６０は、携帯端末機の動作に必要なプログラムおよびデータを格納する役割を行う。本発明の実施形態に係る格納部１６０は、第１タッチセンサ部１２１および第２タッチセンサ部１３０に入力されるタッチ位置の移動動作のパターンに対応するＵＩ（Ｕｓｅｒ  Ｉｎｔｅｒｆａｃｅ）提供方法に関する情報を格納する。
【００２２】
制御部１７０は、携帯端末機の各構成要素に対する全般的な動作を制御する。制御部１７０は、第１タッチセンサ部１２１および第２タッチセンサ部１３０を制御してユーザによるタッチを感知し、入力されるタッチ位置の移動動作のパターンを認識する。制御部１７０は、表示部１２２またはオーディオ処理部１４０を制御して、前記認識されたタッチ位置の移動動作のパターンに対応するＵＩを提供する。制御部１７０は、第１タッチセンサ部１２１および第２タッチセンサ部１３０を制御して、第１タッチセンサ部１２１と第２タッチセンサ部１３０に互いに反対方向の移動動作が入力されるパターンを認識するか、第１タッチセンサ部１２１と第２タッチセンサ部１３０に互いに同一方向の移動動作が入力されるパターンを認識するか、第１タッチセンサ部１２１および第２タッチセンサ部１３０のうちいずれか１つのみに移動動作が入力されるパターンを認識する。また、制御部１７０は、第１タッチセンサ部１２１および第２タッチセンサ部１３０を制御して、第１タッチセンサ部１２１と第２タッチセンサ部１３０に上下方向の移動動作が入力されるパターンを認識するか、第１タッチセンサ部１２１と第２タッチセンサ部１３０に左右方向の移動動作が入力されるパターンを認識するか、第１タッチセンサ部１２１と第２タッチセンサ部１３０に回転方向の移動動作が入力されるパターンを認識する。また、制御部１７０は、第１タッチセンサ部１２１および第２タッチセンサ部１３０のうちいずれか１つのみに移動動作が入力されるパターンを認識する場合、移動動作が第１タッチセンサ部１２１に入力されるか第２タッチセンサ部１３０に入力されるかを判断することができ、入力される移動動作が上下方向の移動動作であるか、左右方向の移動動作であるか、回転方向の移動動作であるかを判断することができる。
【００２３】
図３は、本発明の複数のタッチセンサを用いたＵＩ提供方法の一般的な実施形態を示すフローチャートである。
【００２４】
３０１ステップで制御部１７０は、第１タッチセンサ部１２１および第２タッチセンサ部１３０を制御して、ユーザによるタッチ入力を感知する。ユーザが指を第１タッチセンサ部１２１と第２タッチセンサ部１３０に接触すると、第１タッチセンサ部１２１および第２タッチセンサ部１３０は、タッチを感知し、感知信号を制御部１７０に送信する。制御部１７０は、第１タッチセンサ部１２１および第２タッチセンサ部１３０からそれぞれ感知信号を受信して、ユーザが第１タッチセンサ部１２１と第２タッチセンサ部１３０に接触を入力したことを認識する。
【００２５】
３０２ステップで制御部１７０は、第１タッチセンサ部１２１および第２タッチセンサ部１３０を制御して、ユーザにより入力されるタッチ位置の移動動作のパターンを認識する。ユーザが指を第１タッチセンサ部１２１と第２タッチセンサ部１３０に接触した状態で、タッチ位置を移動させる動作を入力すると、第１タッチセンサ部１２１および第２タッチセンサ部１３０は、タッチ位置の移動を感知し、感知信号を制御部１７０に送信する。本発明の実施形態に係る制御部１７０は、第１タッチセンサ部１２１および第２タッチセンサ部１３０を制御して、第１タッチセンサ部１２１と第２タッチセンサ部１３０に互いに反対方向の移動動作が入力されるパターンを認識するか、第１タッチセンサ部１２１と第２タッチセンサ部１３０に互いに同一方向の移動動作が入力されるパターンを認識するか、第１タッチセンサ部１２１および第２タッチセンサ部１３０のうちいずれか１つのみに移動動作が入力されるパターンを認識する。また、制御部１７０は、第１タッチセンサ部１２１および第２タッチセンサ部１３０を制御して、第１タッチセンサ部１２１と第２タッチセンサ部１３０に上下方向の移動動作が入力されるパターンを認識するか、第１タッチセンサ部１２１と第２タッチセンサ部１３０に左右方向の移動動作が入力されるパターンを認識するか、第１タッチセンサ部１２１と第２タッチセンサ部１３０に回転方向の移動動作が入力されるパターンを認識する。また、制御部１７０は、第１タッチセンサ部１２１および第２タッチセンサ部１３０のうちいずれか１つのみに移動動作が入力されるパターンを認識する場合、移動動作が第１タッチセンサ部１２１に入力されるか第２タッチセンサ部１３０に入力されるかを判断することができ、入力される移動動作が上下方向の移動動作であるか、左右方向の移動動作であるか、回転方向の移動動作であるかを判断することができる。
【００２６】
３０３ステップで制御部１７０は、表示部１２２またはオーディオ処理部１４０を制御して、認識されたタッチ位置の移動動作のパターンに対応するＵＩを提供する。本発明の実施形態によって現在複数のアプリケーションが実行中である場合、制御部１７０は、表示部１２２を制御して、実行された複数のアプリケーションの実行画面を重畳した形態で移動動作の方向または距離により、実行画面間の間隔を設定して表示する。また、現在複数のコンテンツが実行中である場合、制御部１７０は、表示部１２２を制御して、複数のコンテンツの実行画面を重畳した形態で移動動作の方向または距離により、実行画面間の間隔を設定して表示する。本発明の実施形態によって現在画面のロック機能が実行中である場合、制御部１７０は、画面のロック機能を解除して表示部１２２を制御し、画面のロック機能が解除された画面を表示する。また、現在携帯端末機１００に格納された音楽が再生中である場合、制御部１７０は、オーディオ処理部１４０を制御して、再生される音楽のボリュームを調節して出力する。本発明の実施形態によって現在携帯端末機１００に格納されたイメージが表示される場合、制御部１７０は、表示部１２２を制御して、前記イメージをズームイン（ｚｏｏｍ  ｉｎ）またはズームアウト（ｚｏｏｍ  ｏｕｔ）して表示するか、タッチ位置の移動動作の方向に沿って前記イメージを回転または移動させて表示する。また、現在携帯端末機１００に格納されたイメージが表示された時、制御部１７０は、第１タッチセンサ部１２１および第２タッチセンサ部１３０のうちいずれにタッチ位置の移動動作が入力されたかを判断した後、これにより、表示部１２２を制御して前記イメージをズームインまたはズームアウトして表示するか、前記イメージを移動させて表示するか、表示されたイメージが３Ｄ（Ｄｉｍｅｎｓｉｏｎａｌ）イメージの場合には、ビューポイント（ｖｉｅｗｐｏｉｎｔ）を変更させて表示する。以下では、４つの具体的な実施形態を中心に本発明の複数のタッチセンサを用いたＵＩ提供方法について説明する。
【００２７】
図４は、本発明の複数のタッチセンサを用いたＵＩ提供方法の具体的な実施形態のうち第１実施形態に該当するフローチャートである。
【００２８】
４０１ステップで制御部１７０は、携帯端末機１００に含まれる複数のアプリケーションをマルチタスク（ｍｕｌｔｉｔａｓｋｉｎｇ）で実行する。制御部１７０が実行するアプリケーションは、携帯端末機１００に含まれる全てのアプリケーションに該当してもよい。第１実施形態において制御部１７０は、４０１ステップで「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」をマルチタスクで実行することと仮定する。
【００２９】
４０２ステップで制御部１７０は、表示部１２２を制御して、実行された複数のアプリケーションのうちいずれか１つのアプリケーションの実行画面を全画面として表示する。例えば、制御部１７０は、表示部１２２を制御して、実行された複数のアプリケーションのうち最後に実行されたアプリケーション、または、ユーザが全画面ビュー機能を選択したアプリケーションの実行画面を全画面として表示する。第１実施形態において制御部１７０は、４０２ステップで「Ａｐｐｌｉｃａｔｉｏｎ  １」の実行画面を全画面に表示したと仮定する。図５は、本発明の第１実施形態に係る携帯端末機１００の表示画面の例示図であり、図５の［ａ］で携帯端末機１００は、「Ａｐｐｌｉｃａｔｉｏｎ  １」の実行画面を全画面に表示している。
【００３０】
４０３ステップで制御部１７０は、第１タッチセンサ部１２１および第２タッチセンサ部１３０を制御して、ユーザによるタッチ入力を感知する。次に、制御部１７０は、４０４ステップで第１タッチセンサ部１２１および第２タッチセンサ部１３０を制御して、タッチ位置の移動動作が入力されるか否かを判断する。タッチ位置の移動動作が入力されたと判断すれば、制御部１７０は、４０５ステップでタッチ位置の移動動作のパターンを認識する。第１実施形態においてユーザは、第１タッチセンサ部１２１に下方向へ、第２タッチセンサ部１３０に上方向へタッチ位置の移動動作を入力したと仮定する。図５の［ａ］には、第１タッチセンサ部１２１に下方向のタッチ位置の移動動作が入力され、第２タッチセンサ部１３０に上方向のタッチ位置の移動動作が入力された形態が示されている。
【００３１】
４０６ステップで制御部１７０は、表示部１２２を制御して、実行中である複数のアプリケーションの実行画面を重畳した形態で移動動作の方向および距離により、実行画面間の間隔を変更して表示する。現在「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」が実行されており、制御部１７０は、表示部１２２を制御して、「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」の実行画面を重畳した形態で表示する。第１実施形態では、ユーザが上下方向にタッチ位置を移動させ、これにより、制御部１７０は、表示部１２２を制御して「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」の実行画面を縦に重畳した形態で表示する。また、第１実施形態において制御部１７０は、表示部１２２を制御して、ユーザがタッチ位置を移動させた距離により、「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」の実行画面間の間隔を変更させて表示する。
【００３２】
４０７ステップで制御部１７０は、第１タッチセンサ部１２１と第２タッチセンサ部１３０を制御して、タッチ位置の移動動作距離が設定された臨界距離以上に該当するか否かを判断する。タッチ位置の移動動作距離が設定された臨界距離以上に該当する場合、制御部１７０は、４０８ステップで表示部１２２を制御して、実行中である複数のアプリケーションの実行画面間の間隔を固定させて表示する。すなわち、制御部１７０は、ユーザがタッチ位置の移動動作を継続的に入力しても、移動動作距離が設定された臨界距離以上に該当すれば、アプリケーションの実行画面間の間隔をこれ以上隔てずに、固定させて表示する。図５を参照すれば、図５の［ｂ］で携帯端末機１００は、「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」の実行画面を一定間隔で表示している。
【００３３】
４０９ステップで制御部１７０は、第１タッチセンサ部１２１を制御して、表示された複数の実行画面のうちいずれか１つの実行画面が選択されるか否かを判断する。ユーザが第１タッチセンサ部１２１を介していずれか１つの実行画面をタッチすると、第１タッチセンサ部１２１は、感知信号を発生させて制御部１７０に送信し、制御部１７０は、感知信号を受信して選択された実行画面を認識することになる。いずれか１つの実行画面が選択されると、４１０ステップで制御部１７０は、表示部１２２を制御して、選択された実行画面を全画面に表示する。例えば、「Ａｐｐｌｉｃａｔｉｏｎ  １」、「Ａｐｐｌｉｃａｔｉｏｎ  ２」、「Ａｐｐｌｉｃａｔｉｏｎ  ３」および「Ａｐｐｌｉｃａｔｉｏｎ  ４」の実行画面が表示された状態で、ユーザが「Ａｐｐｌｉｃａｔｉｏｎ  ３」の実行画面を選択すれば、制御部１７０は、表示部１２２を制御して「Ａｐｐｌｉｃａｔｉｏｎ  ３」の実行画面を全画面に表示する。図５を参照すれば、図５の［ｃ］で携帯端末機１００は、「Ａｐｐｌｉｃａｔｉｏｎ  ３」の実行画面を全画面に表示している。
【００３４】
図６は、本発明の複数のタッチセンサを用いたＵＩ提供方法の具体的な実施形態のうち第２実施形態に該当するフローチャートである。
【００３５】
６０１ステップで制御部１７０は、格納部１６０に格納された複数のコンテンツを実行する。例えば、コンテンツが「文書ファイル（ｄｏｃｕｍｅｎｔ  ｆｉｌｅ）」に該当する場合、制御部１７０は、「文書ビューアアプリケーション」を用いてユーザにより選択された「文書ファイル」を実行する。第２実施形態で制御部１７０は、６０１ステップで「Ｄｏｃ  １」、「Ｄｏｃ  ２」、「Ｄｏｃ  ３」および「Ｄｏｃ  ４」の文書を「文書ビューアアプリケーション」を用いて実行したと仮定する。
【００３６】
６０２ステップで制御部１７０は、表示部１２２を制御して、実行された複数のコンテンツのうちいずれか１つのコンテンツの実行画面を全画面に表示する。第２実施形態において制御部１７０は、６０２ステップで「Ｄｏｃ  １」の実行画面を全画面に表示したと仮定する。図７は、本発明の第２実施形態に係る携帯端末機１００の表示画面の例示図に該当し、図７の［ａ］で携帯端末機１００は、「Ｄｏｃ  １」の実行画面を全画面に表示している。
【００３７】
６０３ステップで制御部１７０は、第１タッチセンサ部１２１および第２タッチセンサ部１３０を制御して、ユーザによるタッチ入力を感知する。次に、制御部１７０は、６０４ステップで第１タッチセンサ部１２１および第２タッチセンサ部１３０を制御して、タッチ位置の移動動作が入力されるか否かを判断する。タッチ位置の移動動作が入力されたと判断すれば、制御部１７０は、６０５ステップでタッチ位置の移動動作のパターンを認識する。第２実施形態においてユーザは、第１タッチセンサ部１２１に右方向へ、第２タッチセンサ部１３０に左方向へタッチ位置の移動動作を入力したと仮定する。図７の［ａ］には、第１タッチセンサ部１２１に右方向へタッチ位置の移動動作が入力され、第２タッチセンサ部１３０に左方向へタッチ位置の移動動作が入力された形態が示されている。
【００３８】
６０６ステップで制御部１７０は、表示部１２２を制御して、実行中である複数のコンテンツの実行画面を重畳した形態で移動動作の方向および距離により、実行画面間の間隔を変更して表示する。現在「Ｄｏｃ  １」、「Ｄｏｃ  ２」、「Ｄｏｃ  ３」および「Ｄｏｃ  ４」が実行されており、制御部１７０は、表示部１２２を制御して「Ｄｏｃ  １」、「Ｄｏｃ  ２」、「Ｄｏｃ  ３」および「Ｄｏｃ  ４」の実行画面を重畳した形態で表示する。第２実施形態において、ユーザが左右方向にタッチ位置を移動させ、これにより、制御部１７０は、表示部１２２を制御して「Ｄｏｃ  １」、「Ｄｏｃ  ２」、「Ｄｏｃ  ３」および「Ｄｏｃ  ４」の実行画面を横に重畳した形態で表示する。また、第２実施形態において、制御部１７０は表示部１２２を制御して、ユーザがタッチ位置を移動させた距離により、「Ｄｏｃ  １」、「Ｄｏｃ  ２」、「Ｄｏｃ  ３」および「Ｄｏｃ  ４」の実行画面間の間隔を変更させて表示する。
【００３９】
６０７ステップで制御部１７０は、第１タッチセンサ部１２１と第２タッチセンサ部１３０を制御して、タッチ位置の移動動作距離が設定された臨界距離以上に該当するか否かを判断する。タッチ位置の移動動作距離が設定された臨界距離以上に該当する場合、制御部１７０は、６０８ステップで表示部１２２を制御して、実行中である複数のコンテンツの実行画面間の間隔を固定させて表示する。図７を参照すれば、図７の［ｂ］で携帯端末機１００は、「Ｄｏｃ  １」、「Ｄｏｃ  ２」、「Ｄｏｃ  ３」および「Ｄｏｃ  ４」の実行画面を一定間隔で表示している。
【００４０】
６０９ステップで制御部１７０は、第１タッチセンサ部１２１を制御して、表示された複数の実行画面のうちいずれか１つの実行画面が選択されるか否かを判断する。いずれか１つの実行画面が選択されれば、６１０ステップで制御部１７０は、表示部１２２を制御して、選択された実行画面を全画面に表示する。例えば、「Ｄｏｃ  １」、「Ｄｏｃ  ２」、「Ｄｏｃ  ３」および「Ｄｏｃ  ４」の実行画面が表示された状態でユーザが「Ｄｏｃ  ２」の実行画面を選択すれば、制御部１７０は、表示部１２２を制御して「Ｄｏｃ  ２」の実行画面を全画面に表示する。図７を参照すれば、図７の［ｃ］で携帯端末機１００は、「Ｄｏｃ  ２」の実行画面を全画面に表示している。
【００４１】
本発明の実施形態によって６０６ステップで制御部１７０は、表示部１２２を制御して、全画面に表示されている実行画面の大きさを縮小させて表示し、現在実行中であるコンテンツの実行画面が１つの画面に表示される時まで、全画面に表示された実行画面を縮小させて表示する。次に、制御部１７０は、６０７ステップでタッチ位置の移動動作距離が設定された臨界距離以上に該当するか否かを判断し、臨界距離以上に該当する場合、６０８ステップで表示部１２２を制御して、現在の画面を固定させて表示する。例えば、６０１ステップで制御部１７０が「イメージファイル（ｉｍａｇｅ  ｆｉｌｅ）」に該当するコンテンツの「ｉｍａｇｅ  １」、「ｉｍａｇｅ  ２」および「ｉｍａｇｅ  ３」を実行させ、６０２ステップで表示部１２２を制御して、「ｉｍａｇｅ  １」の実行画面を全画面に表示した場合、ユーザによってタッチおよびタッチ位置の移動動作が入力されれば、制御部１７０は、６０６ステップで表示部１２２を制御して、「ｉｍａｇｅ  １」の実行画面を縮小させて表示し、「ｉｍａｇｅ  ２」および「ｉｍａｇｅ  ３」の実行画面を「ｉｍａｇｅ  １」の実行画面とともに１つの画面に表示することができる。図８は、本発明の第２実施形態に係る携帯端末機１００の表示画面の他の例示図である。図８の［ａ］には、９０°回転した形態（横になっている形態）に位置した携帯端末機１００が示されており、携帯端末機１００は、「ｉｍａｇｅ  １」の実行画面を全画面に表示しており、ユーザによって左右方向のタッチ位置の移動動作が入力される形態が示されている。また、図８の［ｂ］で携帯端末機１００は、「ｉｍａｇｅ  １」の実行画面を縮小させて、「ｉｍａｇｅ  ２」および「ｉｍａｇｅ  ３」の実行画面とともに１つの画面に表示しており、ユーザによって「ｉｍａｇｅ  ２」の実行画面が選択される形態が示されている。図８の［ｃ］で携帯端末機１００は、「ｉｍａｇｅ  ２」の実行画面を全画面に表示している。
【００４２】
本発明において携帯端末機１００は、第１実施形態および第２実施形態の組合によってユーザのタッチ入力を受信し、これに対応するＵＩを提供する。例えば、ユーザが「文書ビューアアプリケーション」、「Ａｐｐｌｉｃａｔｉｏｎ  １」、「Ａｐｐｌｉｃａｔｉｏｎ  ２」および「Ａｐｐｌｉｃａｔｉｏｎ  ３」を実行し、「文書ビューアアプリケーション」を用いて「Ｄｏｃ  １」、「Ｄｏｃ  ２」、「Ｄｏｃ  ３」および「Ｄｏｃ  ４」を実行したと仮定する。そして、携帯端末機１００は、「Ｄｏｃ  １」の実行画面を全画面に表示していると仮定する。「Ｄｏｃ  １」の実行画面が全画面に表示された状態で、ユーザが第１タッチセンサ部１２１および第２タッチセンサ部１３０に上下方向のタッチ位置の移動動作を入力すれば、携帯端末機１００は、「文書ビューアアプリケーション」、「Ａｐｐｌｉｃａｔｉｏｎ  １」、「Ａｐｐｌｉｃａｔｉｏｎ  ２」および「Ａｐｐｌｉｃａｔｉｏｎ  ３」の実行画面を縦方向に重複して表示する。また、ユーザが第１タッチセンサ部１２１および第２タッチセンサ部１３０に左右方向のタッチ位置の移動動作を入力すれば、携帯端末機１００は、「Ｄｏｃ  １」、「Ｄｏｃ  ２」、「Ｄｏｃ  ３」および「Ｄｏｃ  ４」の実行画面を横方向に重複して表示する。
【００４３】
図９は、本発明の複数のタッチセンサを用いたＵＩ提供方法の具体的な実施形態のうち第３実施形態に該当するフローチャートである。
【００４４】
９０１ステップで制御部１７０は、画面のロック機能を実行する。図１０は、本発明の第３実施形態に係る携帯端末機１００の表示画面の例示図であり、図１０の［ａ］で携帯端末機１００は、画面のロック機能が実行された状態の画面を表示している。
【００４５】
９０２ステップで制御部１７０は、第１タッチセンサ部１２１および第２タッチセンサ部１３０を制御して、ユーザによるタッチ入力を感知する。次に、制御部１７０は、９０３ステップで第１タッチセンサ部１２１および第２タッチセンサ部１３０を制御して、第１タッチセンサ部１２１と第２タッチセンサ部１３０にタッチ位置の移動動作が入力されるか否かを判断する。タッチ位置の移動動作が入力されたと判断すれば、制御部１７０は、９０４ステップでタッチ位置の移動動作のパターンを認識する。第３実施形態では、ユーザが第１タッチセンサ部１２１および第２タッチセンサ部１３０、両方に下方向へタッチ位置の移動動作を入力したと仮定する。図１０の［ａ］には、ユーザが第１タッチセンサ部１２１および第２タッチセンサ部１３０に下方向のタッチ位置の移動動作を入力した形態が示されている。
【００４６】
第１タッチセンサ部１２１と第２タッチセンサ部１３０に互いに同一方向（下方向）のタッチ位置の移動動作が入力されたものと認識すれば、９０５ステップで制御部１７０は、画面のロック機能を解除する。本発明の実施形態によって制御部１７０は、画面のロック機能の解除後に、表示部１２２を制御して待機画面を表示する。図１０を参照すれば、図１０の［ｂ］で携帯端末機１００は、画面のロック機能の解除後に、待機画面を表示している。本発明の実施形態によってタッチ位置の移動距離の臨界距離が設定されてもよく、このとき、制御部１７０は、タッチ位置の移動距離が臨界距離以上に該当するか否かを判断し、臨界距離以上に該当する場合のみに画面のロック機能を解除する。
【００４７】
図１１は、本発明の複数のタッチセンサを用いたＵＩ提供方法の具体的な実施形態のうち第４実施形態に該当するフローチャートである。
【００４８】
１１０１ステップで制御部１７０は、表示部１２２を制御して、格納部１６０に格納されたイメージのうちいずれか１つのイメージを表示する。図１２は、本発明の第４実施形態に係る携帯端末機１００の表示画面の例示図に該当し、図１３は、本発明の第４実施形態に係る携帯端末機１００の表示画面の他の例示図に該当する。図１２および図１３の［ａ］で携帯端末機１００は、イメージを全画面に表示している
【００４９】
１１０２ステップで制御部１７０は、第１タッチセンサ部１２１および第２タッチセンサ部１３０を制御して、ユーザによるタッチ入力を感知する。次に、制御部１７０は、１１０３ステップで第１タッチセンサ部１２１および第２タッチセンサ部１３０を制御して、第１タッチセンサ部１２１および第２タッチセンサ部１３０にタッチ位置の移動動作が入力されるか否かを判断する。タッチ位置の移動動作が入力されたものと判断すれば、１１０４ステップで制御部１７０は、タッチ位置の移動動作のパターンを認識する。図１２および図１３を参照すれば、図１２の［ａ］は、ユーザが第１タッチセンサ部１２１にタッチ位置を固定させ、第２タッチセンサ部１３０に上方向へタッチ位置を移動させる動作を入力する場合に該当し、図１３の［ａ］は、ユーザが第１タッチセンサ部１２１にタッチ位置を固定させ、第２タッチセンサ部１３０に元の形態にタッチ位置を回転させる動作を入力する場合に該当する。
【００５０】
タッチ位置の移動動作のパターンを認識した後、制御部１７０は、１１０５ステップで表示部１２２を制御して、認識されたタッチ位置の移動動作のパターンによりイメージを変更して表示する。本発明の実施形態によって制御部１７０は、表示部１２２を制御して、表示されたイメージをズームイン又はズームアウトして表示する。図１２を参照すれば、図１２の［ｂ］で携帯端末機１００は、図１２の［ａ］に表示されたイメージのズームインされたイメージを表示している。本発明の実施形態によって制御部１７０は、表示部１２２を制御して、表示されたイメージを回転させて表示する。図１３を参照すれば、図１３の［ｂ］で携帯端末機１００は、図１３［ａ］に表示されたイメージの回転したイメージを表示している。
【００５１】
本発明の実施形態によってタッチ位置の移動距離の臨界距離が設定されていてもよく、このとき、制御部１７０は、タッチ位置の移動距離が臨界距離以上に該当するか否かを判断し、臨界距離以上に該当する場合のみに表示部１２２を制御して、イメージをズームイン又はズームアウトして表示するか、表示されたイメージを移動または回転させて表示する。
【００５２】
また、本発明の実施形態によって制御部１７０は、第１タッチセンサ部１２１に入力されるタッチ位置の移動動作と、第２タッチセンサ部１３０に入力されるタッチ位置の移動動作とを区分して認識し、互いに異なるＵＩを提供する。例えば、第１タッチセンサ部１２１のみに上方向のタッチ位置の移動動作が入力される場合には、制御部１７０は表示部１２２を制御して、イメージを上方向に移動させて表示し、第２タッチセンサ部１３０のみに上方向のタッチ位置の移動動作が入力される場合には、表示部１２２を制御して、イメージをズームイン又はズームアウトして表示する。図１４は、本発明の第４実施形態に係る携帯端末機１００の表示画面の他の例示図に該当する。図１４の［ｂ］は、図１４の［ａ］のようにイメージが表示された状態で、ユーザが第１タッチセンサ部１２１のみに上方向のタッチ位置の移動動作を入力した場合に、携帯端末機１００が表示する画面の例示図であり、図１４の［ｂ］には、図１４の［ａ］に表示されたイメージが上方向に移動した形態が表示されている。図１４の［ｃ］は、図１４の［ａ］のようにイメージが表示された状態で、ユーザが第２タッチセンサ部１３０のみに上方向のタッチ位置の移動動作を入力した場合に、携帯端末機１００が表示する画面の例示図であり、図１４の［ｃ］には、図１４の［ａ］に表示されたイメージのズームインされた形態が表示されている。
【００５３】
本発明の実施形態において、１１０１ステップで表示されたイメージが３Ｄイメージに該当する時、ユーザによって第１タッチセンサ部１２１のみに上方向のタッチ位置の移動動作が入力される場合には、制御部１７０は表示部１２２を制御して、３Ｄイメージを上方向に移動させて表示し、第２タッチセンサ部１３０のみに上方向のタッチ位置の移動動作が入力される場合には、制御部１７０は表示部１２２を制御して、３Ｄイメージのビューポイントを変更して表示する。図１５は、本発明の第４実施形態に係る携帯端末機１００の表示画面の他の例示図である。図１５の［ｂ］は、図１５の［ａ］のように３Ｄイメージが表示された状態で、ユーザが第１タッチセンサ部１２１のみに上方向のタッチ位置の移動動作を入力した場合に、携帯端末機１００が表示する画面の例示図に該当する。図１５の［ｂ］には、図１５の［ａ］に表示された３Ｄイメージが上方向に移動した形態が表示されている。図１５の［ｃ］は、図１５の［ａ］のように３Ｄイメージが表示された状態で、第２タッチセンサ部１３０のみに上方向のタッチ位置の移動動作を入力した場合に、携帯端末機１００が表示する画面の例示図に該当する。図１５の［ｃ］には、図１５の[ａ］に表示された３Ｄイメージのビューポイントが変更された形態が表示されている。
【００５４】
また、本発明の実施形態において、１１０１ステップで制御部１７０がオーディオ処理部１４０を制御して、携帯端末機１００に格納された音楽を再生しており、ユーザが第１タッチセンサ部１２１および第２タッチセンサ部１３０にタッチを入力すれば、１１０２ステップで制御部１７０は、第１タッチセンサ部１２１および第２タッチセンサ部１３０を制御して、ユーザによるタッチ入力を感知し、１１０３ステップで第１タッチセンサ部１２１および第２タッチセンサ部１３０を制御して、第１タッチセンサ部１２１および第２タッチセンサ部１３０のタッチ位置の移動動作が入力されるか否かを判断し、タッチ位置の移動動作が入力されるものと判断すれば、１１０４ステップでタッチ位置の移動動作のパターンを認識し、１１０５ステップで認識されたタッチ位置の移動パターンによりオーディオ処理部１４０を制御して、再生される音楽のボリュームを調節する。
【００５５】
本発明においてユーザは、多様なタッチ入力によって携帯端末機を操作することができ、それぞれの入力に対して互いに異なるＵＩを提供され、携帯端末機を用いるにあたって感性的な側面が向上される効果が発生する。
【００５６】
さらに実施形態で表示されたイメージやファイルが、タッチ位置の移動動作の変化を感知して移動する場合にも、この変化は実施形態で説明したものに動作が制限されない。
【００５７】
例えば、図１５の［ａ］および［ｂ］は、表示された３Ｄイメージを第２タッチセンサ部に入力なしで、第１タッチセンサ部のみに上方向タッチの入力を受けたタッチ入力に対応して前記３Ｄイメージを上側に移動させる思想について開示しているが、その他の実施形態が提示されることも可能である。
【００５８】
第２タッチセンサ部に入力なしで、第１タッチセンサ部に上方向の移動するタッチ入力が入力された場合、前記３Ｄイメージは、下方向にスクロール、回転、位置変更、形状変更などが可能となる。さらに当業者が変更実施可能な他の実施形態の場合も、本発明の権利範囲に含まれることが自明である。
【産業上の利用可能性】
【００５９】
一方、本明細書と図面に開示された本発明の実施形態は、本発明の技術内容を容易に説明して本発明の理解を助けるために特定例を提示したものであるだけで、本発明の範囲を限定しようとするものではない。ここに開示された実施形態の以外にも本発明の技術的思想に基づいた他の変形例が実施可能であることは、本発明が属する技術分野で通常の知識を有する者に自明である。
【符号の説明】
【００６０】
１１０  無線通信部
１２０  タッチスクリーン部
１３０  第２タッチセンサ部
１４０  オーディオ処理部
１５０  キー入力部
１６０  格納部
１７０  制御部
【図１（ａ）】
2013507681.tif 000003
【図１（ｂ）】
2013507681.tif 000004
【図２】
2013507681.tif 000005
【図３】
2013507681.tif 000006
【図４】
2013507681.tif 000007
【図５】
2013507681.tif 000008
【図６】
2013507681.tif 000009
【図７】
2013507681.tif 000010
【図８】
2013507681.tif 000011
【図９】
2013507681.tif 000012
【図１０】
2013507681.tif 000013
【図１１】
2013507681.tif 000014
【図１２】
2013507681.tif 000015
【図１３】
2013507681.tif 000016
【図１４】
2013507681.tif 000017
【図１５】
2013507681.tif 000018
【国際調査報告】
2013507681.tif 000019
2013507681.tif 000020